(57)【特許請求の範囲】
【請求項１】
筒状のノズル本体(７)内に形成した通液路(８)を液供給装置(10)に給液路(９)を介して接続し、このノズル本体(７)の先端(11)に開口したノズル口(12)から供給液(13)を高圧で吐出し、吐出した供給液(13)の液圧で人体(Ｐ)の要部(14)をマッサージする液圧マッサージ用ノズルにおいて、
ノズル本体(７)の周側壁(16)に逃がし孔(17)を開口し、
この逃がし孔(17)を覆う状態に防護壁(18)をノズル本体(７)の外側に配設し、この防護壁(18)とノズル本体(７)との間に緩衝室(19)を形成し、
防護壁(18)に連通穴(22)を開口し、この連通穴(22)と上記緩衝室(19)と上記逃がし孔(17)とを順に介して外側空間(23)を上記通液路(８)に連通可能に構成したことを特徴とする、液圧マッサージ用ノズル。
【請求項２】
給液路(９)に連通連結したノズル管(４)の先端に筒状延長管(６)を着脱可能に配設し、この筒状延長管(６)の少なくとも先端側部(6b)を二重筒壁に形成して、内筒壁でノズル本体(７)を構成するとともに、外筒壁で防護壁(18)を構成した、請求項１に記載の液圧マッサージ用ノズル。
【請求項３】
ノズル管(４)の先端外面に固定リング(５)を固定して、この固定リング(５)の外側に筒状延長管(６)の基端側部(6a)を摺動自在に套嵌し、
上記筒状延長管(６)の基端内面に係止リング(26)を固定して、この係止リング(26)を上記固定リング(５)に係止可能に構成した、請求項２に記載の液圧マッサージ用ノズル。
【発明の詳細な説明】
【０００１】
【産業上の利用分野】
本発明は浴室内等で用いられ、先端に開口したノズル口から供給液を高圧で吐出して、形成した噴流の液圧で入浴者など人体の要部をマッサージする液圧マッサージ用ノズルに関する。
【０００２】
【従来技術】
従来、この種の液圧マッサージ用ノズルは、筒状のノズル本体内に形成した通液路を液供給装置に給液路を介して接続し、このノズル本体の先端に開口したノズル口から供給液を入浴者の肩や背中等の要部に向けて高圧で吐出し、吐出した供給液の液圧でこの要部をマッサージするように構成してあり、通常、このノズルを浴槽の側壁で浴液の液面下に固設し、ノズル口を浴液に臨ませて配置してある。
【０００３】
【発明が解決しようとする課題】
上記従来の液圧マッサージ用ノズルでは、入浴者の肩部が浴液の液面近くに位置するため、この肩部を上方からマッサージすることはできなかった。
【０００４】
この問題を解消するため、ノズル口を浴液の液面よりも上方の空中に位置させ、肩部をマッサージするように構成することが考えられる。
しかしこの場合には、吐出した供給液が空中を飛散して周囲に飛沫がかかり易く、特に、肩部がノズル口に近接するとノズル口が閉塞気味となって液圧が急速に高まり、供給液がノズル口と要部の間隙から激しく飛散して、顔や頭部に飛沫がかかるばかりか、周囲の他者に迷惑をかける虞れがある。
【０００５】
本発明は上記問題点を解消し、入浴者の肩部を効果的にマッサージしながら、しかも周囲への飛散を少なくできる液圧マッサージ用ノズルを提供することを目的とする。
【０００６】
【課題を解決するための手段】
本発明は、上記目的を達成するために、例えば図１及び図２に示すように、液圧マッサージ用ノズルを次のように構成したことを特徴とする。
【０００７】
即ち、本発明１は、筒状のノズル本体(７)内に形成した通液路(８)を液供給装置(10)に給液路(９)を介して接続し、このノズル本体(７)の先端(11)に開口したノズル口(12)から供給液(13)を高圧で吐出し、吐出した供給液(13)の液圧で人体(Ｐ)の要部(14)をマッサージする液圧マッサージ用ノズルにおいて、
ノズル本体(７)の周側壁(16)に逃がし孔(17)を開口し、この逃がし孔(17)を覆う状態に防護壁(18)をノズル本体(７)の外側に配設し、この防護壁(18)とノズル本体(７)との間に緩衝室(19)を形成し、防護壁(18)に連通穴(22)を開口し、この連通穴(22)と上記緩衝室(19)と上記逃がし孔(17)とを順に介して外側空間(23)を上記通液路(８)に連通可能に構成したことを特徴とするものである。
【０００８】
本発明２は本発明１において、給液路(９)に連通連結したノズル管(４)の先端に筒状延長管(６)を着脱可能に配設し、この筒状延長管(６)の少なくとも先端側部(6b)を二重筒壁に形成して、内筒壁でノズル本体(７)を構成するとともに、外筒壁で防護壁(18)を構成したものである。
【０００９】
本発明３は本発明２において、ノズル管(４)の先端外面に固定リング(５)を固定して、この固定リング(５)の外側に筒状延長管(６)の基端側部(6a)を摺動自在に套嵌し、上記筒状延長管(６)の基端内面に係止リング(26)を固定して、この係止リング(26)を上記固定リング(５)に係止可能に構成したものである。
【００１０】
なお、上記のノズル口は、浴槽内で浴液の液面直下に配置し、ノズル口から下方に向けて供給液を吐出するように構成することができる。この場合は、ノズル口が周囲を浴液で取り囲まれているので、ノズル口から吐出された供給液が周囲に飛散する虞れがなく、周囲の者にかける迷惑を少なく抑えることができる。
【００１１】
ここで、供給液とは、湯水やこれに薬液等を添加した液体のみで構成してもよいが、ノズルに吸気路を接続するなどして、供給液に気泡を混入させてもよく、この場合は、気液混合液中の気泡が破裂することにより圧力変動を生じて、マッサージ効果を一層高めることができる。
【００１２】
【作用】
本発明１では、ノズル口から吐出する供給液の液圧により、入浴者の肩部など人体の要部が押圧される。
【００１３】
このとき、マッサージを受ける要部がノズル口に近接するなどして、ノズル口が閉塞気味になり、通液路内の液圧が高まろうとすると、供給液が逃がし孔から緩衝室へ流出し、ノズル口における液圧の急速な上昇が防止される。一方、逃がし孔は防護壁で覆われていることから、緩衝室へ流出した供給液はこの防護壁に衝突して液圧が削減され、低圧となって連通穴から外部空間へ流出する。この結果、ノズル口から吐出した供給液が周囲へ激しく飛散する虞れがない。
【００１４】
本発明２では、ノズル管の先端に配設した筒状延長管の少なくとも先端側部を二重筒壁に形成して、内筒壁でノズル本体を構成するとともに、外筒壁で防護壁を構成してあるので、既設のノズル管に対し、筒状延長管を取り付けるだけで、周囲への飛散を少なくした液圧マッサージ用ノズルに構成することができる。
【００１５】
本発明３では、ノズル管の先端外面に固定した固定リングの外側に筒状延長管の基端側部を摺動自在に套嵌してあるので、入浴者の肩部が上方へ移動してノズル口を押し上げると、筒状延長管が上方へ摺動移動し、ノズル口が肩部の動きに追随して上方へ移動する。
【００１６】
【実施例】
以下、本発明の実施例を図面に基づき説明する。
図１及び図２は本発明の実施例を示し、図１は液圧マッサージ用ノズルの縦断面図、図２は上記ノズルを配設した浴槽の一部縦断側面図である。
【００１７】
図１及び図２に示すように、この液圧マッサージ用ノズル（１）は浴槽（２）の側壁（３）に取り付けた筒状のノズル管（４）と、このノズル管（４）の先端外面に固定リング（５）を介して配設した筒状延長管（６）とからなる。
【００１８】
上記筒状延長管（６）は、基端側部（６ａ）を上記固定リング（５）の外側に摺動自在に套嵌してあり、基端側部（６ａ）の基端内面に係止リング（２６）を固定して、この係止リング（２６）を上記固定リング（５）に係止可能に構成してある。
なお、符号（２７）は、固定リング（５）をノズル管（４）の先端外面に着脱可能に固定するためのセットビス（２８）を挿通するための挿通孔を示す。
【００１９】
上記筒状延長管（６）は、先端側部（６ｂ）を二重筒壁に形成してあり、内筒壁でノズル本体（７）を構成するとともに、外筒壁で防護壁（１８）を構成しており、このノズル本体（７）内に通液路（８）を形成してある。この通液路（８）は、浴槽（２）の側壁（３）内に配管した給液路（９）を介して給液ポンプ（１０）に接続してある。
【００２０】
上記ノズル本体（７）の周側壁（１６）には逃がし孔（１７）を開口してあり、この逃がし孔（１７）は前記防護壁（１８）により覆われている。また、この防護壁（１８）はノズル本体（７）の周側壁（１６）から離隔して設けてあり、この両者間に緩衝室（１９）が形成される。なお、符号（２０）及び（２１）は、それぞれ緩衝室（１９）の両端を封止する封止リングを示す。
【００２１】
上記防護壁（１８）には、上記逃がし孔（１７）とは異なる位置に連通穴（２２）を開口してあり、この連通穴（２２）と上記緩衝室（１９）と逃がし孔（１７）とを順に介して、外側空間（２３）を上記通液路（８）に連通させてある。
【００２２】
一方、ノズル本体（７）の先端（１１）にはノズル口（１２）を開口してあり、このノズル口（１２）から供給液（１３）を高圧で吐出して、この吐出した供給液（１３）の液圧により、図２に示すように、入浴者（Ｐ）の肩（１４）など要部をマッサージするように構成してある。なお、符号（１５）は入浴者が移動する際などに掴む把手を示す。
【００２３】
上記ノズル口（１２）は、浴槽（２）内で浴液（２４）の液面（２５）直下に配置してあり、ノズル口（１２）から斜め下方に位置する入浴者（Ｐ）の肩（１４）に向けて供給液（１３）を吐出するように構成してある。
ノズル口（１２）から吐出された供給液（１３）は、その液圧で入浴者（Ｐ）の肩（１４）を効果的に押圧するので、これにより、入浴者（Ｐ）は浴槽（２）内に入浴しながら、肩（１４）を良好にマッサージされる。
【００２４】
入浴者（Ｐ）が肩（１４）を上方へ移動させてノズル口（１２）に近接すると、このノズル口（１２）が閉塞気味となり、液圧が急速に高まろうとするが、これにより供給液（１３）の一部が、図１に示すように、逃がし孔（１７）から緩衝室（１９）へ流出するので、ノズル口（１２）における液圧の急速な上昇が防止される。一方、緩衝室（１９）へ流出した供給液（１３）は防護壁（１８）に衝突し、低圧となって連通穴（２２）から外部へ流出し、周囲へ激しく飛散することがない。
【００２５】
入浴者（Ｐ）が肩（１４）をさらに上方へ移動してノズル口（１２）を押し上げると、筒状延長管（６）が上方へ摺動移動し、ノズル口（１２）が肩部（１４）の動きに追随して上方へ移動する。一方、肩部（１４）が下方へ移動してノズル口（１２）から離れようとすると、筒状延長管（６）はノズル管（４）から供給される供給液（１３）の液圧により下方へ移動し、係止リング（２６）が固定リング（５）に係止して移動を停止する。
なお、このとき筒状延長管（６）を肩部（１４）に向けて下方へ強制的に押し下げるように、仮想線で示すコイルバネ（２９）を固定リング（５）と封止リング（２０）との間に配設してもよい。
【００２６】
上記実施例では、ノズル口を浴液の液面直下に配置し、ノズル口の周側壁に逃がし孔を設けたので、供給液の飛散を一層効果的に防止できる。
【００２７】
しかし、上記のノズル口は、浴液の液面よりも上方に位置させ、空気中に供給液を吐出するように構成してもよい。この場合には、ノズル口とマッサージを受ける要部とが離隔しているとノズル口と要部との間から供給液が飛散し易いので、ノズル口の形状を変形させたりノズル口にカバーを取り付けたりして、このノズル口やカバーの開口端を上記要部の周囲に密着させることにより、一層効果的に供給液の飛散を防止することができる。
【００２８】
上記実施例では筒状延長管の先端側部のみを二重筒壁に形成したが、筒状延長管の全体を二重筒壁に形成して内筒壁をノズル本体に構成してもよい。また、この筒状延長管はノズル管の先端へ螺着などにより固定してもよいが、上記実施例のように摺動可能に配設すると、ノズル口を入浴者の肩部の移動に追随させることができ、良好にマッサージを施すことができて好ましい。
【００２９】
また、ノズル本体をノズル管で構成し、逃がし孔をノズル管に直接開口してもよく、この場合は上記実施例と異なり、筒状延長管を省略することができる。
なお、上記実施例では供給液を液体のみで構成したが、ノズル本体に吸気路を接続して気液混合状態の供給液に構成してもよい。
【００３０】
【発明の効果】
本発明は上記のように構成され作用するので、次の効果を奏する。
【００３１】
（イ）本発明１によれば、ノズル口から吐出する供給液の液圧で人体の要部を押圧して効果的にマッサージすることができる。
【００３２】
（ロ）しかも、マッサージを受ける要部がノズル口に近接して通液路内の液圧が高まろうとすると、供給液が逃がし孔から流出するためノズル口における液圧の急速な上昇が防止され、一方、緩衝室へ流出した供給液は防護壁との衝突により、低圧となって連通穴から外部空間へ流出することから、供給液を周囲へ激しく飛散する虞れがなくなり、周囲の者にかける迷惑を少なく抑えることができる。
【００３３】
（ハ）本発明２によれば、ノズル管の先端に配設した筒状延長管の少なくとも先端側部を二重筒壁に形成して、内筒壁でノズル本体を構成するとともに、外筒壁で防護壁を構成してあるので、既設のノズル管に筒状延長管を取り付けるだけで周囲への飛散を少なくした液圧マッサージ用ノズルに構成することができ、安価に実施することができる。
【００３４】
（ニ）本発明３によれば、ノズル口が肩部に追随して上下するので、入浴者が肩部を移動させても一定の液圧で肩部を押圧でき、良好にマッサージすることができる。
【図面の簡単な説明】
【図１】本発明の実施例を示す、液圧マッサージ用ノズルの縦断面図である。
【図２】液圧マッサージ用ノズルを配設した浴槽の一部縦断側面図である。
【符号の説明】
Ｐ…人体（入浴者）、
２…浴槽
４…ノズル管、
５…固定リング
６…筒状延長管、
６ａ…基端側部、
６ｂ…先端側部、
７…ノズル本体、
８…通液路、
９…給液路、
１０…液供給装置（給液ポンプ）、
１１…ノズル本体（７）の先端、
１２…ノズル口、
１３…供給液、
１４…人体（Ｐ）の要部（入浴者の肩）、
１６…ノズル本体（７）の周側壁、
１７…逃がし孔、
１８…防護壁、
１９…緩衝室、
２２…連通穴、
２３…外側空間、
２４…浴槽（２）内の浴液、
２５…浴液（２４）の液面、
２６…係止リング。
【図１】
0003623996.tif 000002
【図２】
0003623996.tif 000003